(57)【要約】【課題】自動運転モードへの切り替え忘れを防ぐことができ、また自動運転モードへ切り替える手間を省くことができ、使い勝手が向上する空気清浄機を提供する。【解決手段】手動運転モードと自動運転モードを有して空気を清浄化する空気清浄機本体１と、この空気清浄機本体１を遠隔操作するリモコン２８とを備えた空気清浄機において、リモコン２８を着脱自在に装着するリモコン装着部（リモコンホルダー２９）を設けると共に、当該リモコン装着部へのリモコン２８の装着を検出するリモコン検出手段と、このリモコン検出手段のリモコン装着検出出力に基づき前記運転モードを自動運転モードに設定する制御手段を備えた。【選択図】        図１
2004340479.tif 000002
【特許請求の範囲】
【請求項１】
手動運転モードと自動運転モードを有して空気を清浄化する空気清浄機本体と、この空気清浄機本体を遠隔操作するリモコンとを備えた空気清浄機において、
前記リモコンを着脱自在に装着するリモコン装着部を設けると共に、当該リモコン装着部へのリモコンの装着を検出するリモコン検出手段と、このリモコン検出手段のリモコン装着検出出力に基づき前記運転モードを自動運転モードに設定する制御手段を備えたことを特徴とする空気清浄機。
【請求項２】
前記リモコン装着部を、リモコンが装着された状態でもリモコンの操作が可能となるように形成すると共に、リモコンからの操作信号を受信する受信部を、リモコン装着部にリモコンが装着された状態でもリモコンからの操作信号を受信可能な位置に設けたことを特徴とする請求項１記載の空気清浄機。
【請求項３】
前記制御部は、前記リモコン検出手段によってリモコンの装着が検出された後、本体操作部またはリモコンによる操作信号が無い場合に、前記運転モードを自動運転モードに設定することを特徴とする請求項２記載の空気清浄機。
【請求項４】
前記制御部は、前記リモコン検出手段によってリモコンの装着が検出された後、本体操作部またはリモコンによる操作信号が所定時間無い場合に、前記運転モードを自動運転モードに設定することを特徴とする請求項２記載の空気清浄機。
【請求項５】
前記リモコン装着部を本体操作部の近傍に設けたことを特徴とする請求項１ないし請求項４のいずれかに記載の空気清浄機。
【請求項６】
前記空気清浄機本体の正面側下部を前方側に突出させ、この突出させた面に本体操作部とリモコン装着部を設けたことを特徴とする請求項１ないし請求項５のいずれかに記載の空気清浄機。
【発明の詳細な説明】
【０００１】
【発明の属する技術分野】
本願発明は、手動運転モードと自動運転モードを有して空気を清浄化する空気清浄機本体と、この空気清浄機本体を遠隔操作するリモコンとを備えた空気清浄機に関するものである。
【０００２】
【従来の技術】
従来より、空気清浄機本体の運転をリモコンで遠隔操作により行えるようにした空気清浄機が知られており、空気清浄機本体の運転モードを切り替える時は、本体操作部で操作するか、リモコンを用いて操作を行っていた（例えば、特許文献１参照）。
【０００３】
【特許文献１】
特開２０００−７９３１２号公報（図１７）
【０００４】
【発明が解決しようとする課題】
通常、空気清浄機は自動運転モードで、空気の汚れを感知するセンサによる自動運転をしており、使用者が状況に応じてリモコンまたは本体操作部によって運転モードを手動運転モードの強運転モードや弱運転モードに切り替えて使用し、使用後、リモコンまたは本体操作部により自動運転モードに切り替えて連続使用していた。そのため、自動運転モードへの切り替え忘れが起こり易かった。また、自動運転モードへ切り替える手間が掛かり、使い勝手が悪かった。
【０００５】
そこで、本願発明はこのような課題を解決するためになされたものであり、自動運転モードへの切り替え忘れを防ぐことができ、また自動運転モードへ切り替える手間を省くことができ、使い勝手が向上する空気清浄機を提供することを目的とするものである。
【０００６】
【課題を解決するための手段】
上記のような目的を達成するため、本願発明は、手動運転モードと自動運転モードを有して空気を清浄化する空気清浄機本体と、この空気清浄機本体を遠隔操作するリモコンとを備えた空気清浄機において、前記リモコンを着脱自在に装着するリモコン装着部を設けると共に、当該リモコン装着部へのリモコンの装着を検出するリモコン検出手段と、このリモコン検出手段のリモコン装着検出出力に基づき前記運転モードを自動運転モードに設定する制御手段を備えたことを特徴とするものである。
【０００７】
また、前記リモコン装着部を、リモコンが装着された状態でもリモコンの操作が可能となるように形成すると共に、リモコンからの操作信号を受信する受信部を、リモコン装着部にリモコンが装着された状態でもリモコンからの操作信号を受信可能な位置に設けたことを特徴とするものである。
【０００８】
また、前記制御部は、前記リモコン検出手段によってリモコンの装着が検出された後、本体操作部またはリモコンによる操作信号が無い場合に、前記運転モードを自動運転モードに設定することを特徴とするものである。
【０００９】
さらに、前記制御部は、前記リモコン検出手段によってリモコンの装着が検出された後、本体操作部またはリモコンによる操作信号が所定時間無い場合に、前記運転モードを自動運転モードに設定することを特徴とするものである。
【００１０】
また、前記リモコン装着部を本体操作部の近傍に設けたことを特徴とするものである。
【００１１】
また、前記空気清浄機本体の正面側下部を前方側に突出させ、この突出させた面に本体操作部とリモコン装着部を設けたことを特徴とするものである。
【００１２】
【発明の実施の形態】
以下、本願発明の実施形態を図面を参照して詳細に説明する。
【００１３】
図１，図２は、本願発明の一実施形態に係る空気清浄機の正面図で、図１はリモコンが装着された状態を示し、図２はリモコンが装着されていない状態を示している。図３，図４，図５は、上記図１のＡ−Ａ断面図，Ｂ−Ｂ断面図，Ｃ−Ｃ断面図、図６は制御系の要部構成を示すブロック図、図７はその要部動作を示すフローチャートである。
【００１４】
本実施形態の空気清浄機本体１の外郭は、横方向に鎧戸状の吸気口２が形成され、この吸気口２より下部を前方側に突出させた前カバー３と、この前カバー３の突出させた面と中央部で連なるように前カバー３の下部に設けられる下カバー４と、背面側を覆う後カバー５とで構成されている。
【００１５】
後カバー５には、略中央から下方にわたって後方に膨出する膨出部６が形成されており、膨出部６の上面には格子状の排気口７が形成されている。この後カバー５は、その膨出部６より上方が前カバー３の吸気口２から吸い込まれる空気中の塵埃や臭気を除去するフィルタ８の近傍に位置する。また、後カバー５の内面には、フィルタ８の背面側外縁に当接する枠状のリブ９と、フィルタ８の外周に当接する枠状のリブ１０とが形成されており、これらのリブ９，１０はフィルタ８の保持部を構成し、フィルタ８背面と後カバー５との間に空間Ｓが形成されるようになっている。また、フィルタ８の外周が当接するリブ１０の外方には、前カバー３の内面と吸気口２周縁に当接する補強リブ１１が形成されている。
【００１６】
後カバー５の膨出部６とフィルタ８の背面側空間Ｓとの間は仕切板１２で区画され、当該仕切板１２には通風孔１３が形成されている。この仕切板１２の下方には、前方側に延設されて下カバー４の上面端部に当接する延設部１４が形成されており、この延設部１４は後カバー５に形成された前記リブ１０と共に、フィルタ８の上下左右方向の移動を規制する。また、延設部１４の上方に位置してフィルタ８の背面に当接するリブ１５が形成されており、このリブ１５は後カバー５に形成された前記リブ９と共にフィルタ８の背面側に当接し、前カバー３背面との間でフィルタ８の前後方向の移動を規制する。
【００１７】
そして、仕切板１２の背面側には本体１の下方に位置してモータ１６が取り付けられており、このモータ１６で駆動されるファン１７が図示しないファンケーシングで囲繞されている。これらモータ１６とファン１７とで送風機１８が構成されている。この送風機１８が駆動されることにより、室内の汚れた空気が前カバー３の吸気口２から本体１内に吸い込まれ、フィルタ８を通して塵埃や臭気が除去されて清浄化される。清浄化された空気は、フィルタ８と後カバー５間の空間Ｓより仕切板１２の通風孔１３を通ってファン１７に吸い込まれ、排気口７より本体１外に吹き出される。
【００１８】
一方、下カバー４の前面には、タイマー運転時間を設定するタイマーボタン２０や、空気の汚れを感知する汚れセンサ２１（図６に図示）により自動的に風量調整する自動運転モードや手動で風量設定する手動運転モード（弱運転モードや強運転モード）を設定する運転モードボタン２２等からなる本体操作部２３と、上記タイマーボタン２０によって設定されたタイマー運転時間を表示するＬＥＤ２４や、上記運転モードボタン２２によって設定された自動運転モードや手動運転モードの弱運転モードや強運転モードを表示するＬＥＤ２５等からなる本体表示部２６が設けられている。上記各ボタン２０，２２や各ＬＥＤ２４，２５は、下カバー４内に設けられた制御基板２７に搭載されている。
【００１９】
さらに、上記本体操作部２３や本体表示部２６に隣接して、ワイヤレスのリモコン２８を装着するリモコンホルダー２９が形成されている。このリモコン２８は矩形板状のもので、先端側に赤外線等のリモコン信号を送信する送信部３０が設けられていると共に、表面には入／切ボタン３１と、運転モードボタン３２が設けられている。リモコンホルダー２９は、上記形状のリモコン２８が先端側（送信部３０側）を上にした状態で収まるような凹状に形成され、その下部側前面をリブ３３で覆って、リモコン２８を後端側から容易かつ確実に装着できると共に、装着された状態でもリモコン２８の操作が可能となるように形成されている。
【００２０】
また、図２，図４，図５に示すように、リモコン２８の背面側が当接するリモコンホルダー２９の中央部には、リモコン２８を装着することによりリモコン２８の背面側で押されてＯＮとなるリモコン検出スイッチ３４が設けられている。また、リモコンホルダー２９の上縁には、リモコンホルダー２９にリモコン２８が装着された状態でもリモコン２８からの操作信号が受信可能なリモコン受信部３５がレンズ３６で覆われて配置されている。上記リモコン検出スイッチ３４やリモコン受信部３５は、下カバー４内に設けられた前記制御基板２７に搭載されている。
【００２１】
上記制御基板２７には、図６に示すように、マイクロコンピュータ等からなる制御部４０が搭載されており、この制御部４０には、前記本体操作部２３、リモコン受信部３５、リモコン検出スイッチ３４、汚れセンサ２１等からの信号が入力され、それらに基づき、送風機１８のモータ１６や本体表示部２６等が制御されるようになっている。
【００２２】
この空気清浄機を使用する場合は、下カバー４の前面にある本体操作部２３やリモコンホルダー２９に装着されたリモコン２８，あるいはリモコンホルダー２９から取り外されたリモコン２８を操作することにより、下カバー４内の制御基盤２７上に搭載された制御部４０が働き、運転を開始する。運転を開始すると、送風機１８のモータ１６が駆動されてファン１７が回転し、吸引される周囲空気は前カバー３のほぼ全面に形成された吸気口２から本体１内に吸い込まれ、フィルタ８により塵埃や煙草の煙や臭い等が濾過脱臭され、仕切板１２の通風孔１３からファン１７を介して、後カバー５の膨出部６上面の排気口７から清浄化された空気が室内に吹き出される。
【００２３】
使用者は、図１の正面図に示される本体操作部２３またはリモコン２８により本体１の運転モードを切り替え可能になっている。リモコン２８は、本体１のリモコンホルダー２９への装着の有無に拘わらず、レンズ３６を介してリモコン受信部３５によりリモコン信号が受信されるので操作可能であり、利便性の向上が図られている。リモコン２８の装着の有無は、リモコン検出スイッチ３４により検知され、使用者が自動運転以外のモードで使用後、リモコン２８を本体１のリモコンホルダー２９に戻すと、リモコン検出スイッチ３４によりリモコン２８の装着が検知され、本体１の運転モードが自動運転モードに切り替わる。この動作により自動運転モードへの切り替え忘れを防ぐことができる。また、使用者の自動運転モードへ切り替える手間を省くことができ、使い勝手が向上する。
【００２４】
図７のフローチャートを用いて具体的に説明すると、先ずリモコン検出スイッチ３４がＯＮか否かをチェックし（判断１０１）、ＯＮでなければ図２に示したようにリモコン２８がリモコンホルダー２９に装着されていないことになり、このときは本体操作部２３または使用者が持ったリモコン２８による操作に応じた運転モードに設定される（判断１０１のＮ→処理１０２）。
【００２５】
一方、リモコン検出スイッチ３４がＯＮになると、図１に示したようにリモコン２８がリモコンホルダー２９に装着されたことになるが、このときには、先ず本体操作部２３またはリモコン２８による操作信号が有るか否かをチェックし（判断１０１のＹ→判断１０３）、有れば前記処理１０２に移行して本体操作部２３または装着されたリモコン２８による操作に応じた運転モードに設定される（判断１０３のＹ→処理１０２）。
【００２６】
また、リモコン２８がリモコンホルダー２９に装着されて、本体操作部２３またはリモコン２８による操作信号が無ければ、この状態が所定時間経過するのを待ってから（判断１０３のＮ→判断１０４のＮループ）、自動運転モードに設定される（判断１０４のＹ→処理１０５）。
【００２７】
本実施形態では、上記のように、リモコン２８がリモコンホルダー２９に装着されても直ちに自動運転モードには設定せずに、本体操作部２３またはリモコン２８による操作信号が有るか否かをチェックすることにより、リモコン２８がリモコンホルダー２９に装着された状態でも、本体操作部２３またはリモコン２８が操作されたときは、それらの操作に応じた運転モードに設定することが可能となっている。
【００２８】
また、リモコン２８がリモコンホルダー２９に装着されて、本体操作部２３またはリモコン２８による操作信号が無くても、この状態が所定時間経過するのを待ってから自動運転モードに設定するようにしたことにより、使用者がリモコン２８を手に持って手動運転モードの例えば強運転モードに設定して直ちにリモコン２８をリモコンホルダー２９に装着したり、リモコン２８が装着状態で本体操作部２３またはリモコン２８により手動運転モードの例えば強運転モードに設定したような場合でも、操作信号が無くなると直ちに自動運転モードに設定されてしまうような不具合を防ぐことができる。
【００２９】
なお、上記の所定時間は、使用者の利用形態等に応じて任意に設定できるようにすることが好ましい。
【００３０】
また、本実施形態においては、後カバー５の膨出部６より上方をフィルタ８近傍に位置させたことで、本体１の上方側において奥行きを短くでき、すっきりとした形状とすることができると共に、上方側を軽量化できる。さらに、比較的重量のある送風機１８を本体１の下方側に位置させたことで、重心が低くなり、本体１を安定した状態に設置できる。
【００３１】
また、後カバー５の特にフィルタ８に近接させた箇所に、フィルタ８の背面外縁に当接するリブ９とフィルタ８の外周に当接するリブ１０を形成したことで、後カバー５を利用してフィルタ８を無理なく保持できる。
【００３２】
さらに、本体１の正面下部を吸気口２より前方側に突出させ、この突出させた面に、本体操作部２３やリモコンホルダー２９を設けることで、本体１が前方側へ倒れにくくなると共に、本体操作部２３やリモコン２８を操作する力や着脱する力が安定した本体１の下部に働くので、本体１がぐらつくことが無く、安心して操作や着脱ができる。また、リモコンホルダー２９は本体操作部２３の近傍に設けられているので、利便性が向上すると共に、操作の度にリモコン２８の有無が確認できるため、リモコン２８の紛失等が生じにくくなる。
【００３３】
【発明の効果】
以上のように本願発明によれば、リモコンを着脱自在に装着するリモコン装着部を設けると共に、当該リモコン装着部へのリモコンの装着を検出するリモコン検出手段と、このリモコン検出手段のリモコン装着検出出力に基づき運転モードを自動運転モードに設定する制御手段を備えたことにより、自動運転モードへの切り替え忘れを防ぐことができ、また自動運転モードへ切り替える手間を省くことができ、使い勝手が向上する。
【００３４】
また、前記リモコン装着部を、リモコンが装着された状態でもリモコンの操作が可能となるように形成すると共に、リモコンからの操作信号を受信する受信部を、リモコン装着部にリモコンが装着された状態でもリモコンからの操作信号を受信可能な位置に設けたことにより、上記の効果に加えて利便性が向上する。
【００３５】
また、前記制御部は、前記リモコン検出手段によってリモコンの装着が検出された後、本体操作部またはリモコンによる操作信号が無い場合に、運転モードを自動運転モードに設定することにより、上記のような効果に加えて、リモコンがリモコン装着部に装着された状態でも、本体操作部またはリモコンが操作されたときは、それらの操作に応じた運転モードに設定することが可能となる。
【００３６】
さらに、前記制御部は、前記リモコン検出手段によってリモコンの装着が検出された後、本体操作部またはリモコンによる操作信号が所定時間無い場合に、運転モードを自動運転モードに設定することにより、上記のような効果に加えて、使用者がリモコンを手に持って手動運転モードの例えば強運転モードに設定して直ちにリモコンをリモコン装着部に装着したり、リモコンが装着状態で本体操作部またはリモコンにより手動運転モードの例えば強運転モードに設定したような場合でも、操作信号が無くなると直ちに自動運転モードに設定されてしまうような不具合を防ぐことができる。
【００３７】
また、前記リモコン装着部を本体操作部の近傍に設けたことにより、上記のような効果に加えて、利便性が向上すると共に、操作の度にリモコンの有無が確認できるため、リモコンの紛失等が生じにくくなる。
【００３８】
また、前記空気清浄機本体の正面側下部を前方側に突出させ、この突出させた面に本体操作部とリモコン装着部を設けたことにより、上記のような効果に加えて、本体が前方側へ倒れにくくなると共に、本体操作部やリモコンを操作する力や着脱する力が安定した本体の下部に働くので、本体がぐらつくことが無く、安心して操作や着脱ができる。
【図面の簡単な説明】
【図１】本願発明の一実施形態に係る空気清浄機の正面図で、リモコンが装着された状態を示す。
【図２】同じく、空気清浄機の正面図で、リモコンが装着されていない状態を示す。
【図３】上記図１のＡ−Ａ断面図。
【図４】同じく、図１のＢ−Ｂ断面図。
【図５】同じく、図１のＣ−Ｃ断面図。
【図６】上記実施形態の制御系の要部構成を示すブロック図。
【図７】同じく、その要部動作を示すフローチャート。
【符号の説明】
１  空気清浄機本体
２  吸気口
３  前カバー
４  下カバー
５  後カバー
７  排気口
８  フィルタ
１６  モータ
１７  ファン
１８  送風機
２０  タイマーボタン
２１  汚れセンサ
２２  運転モードボタン
２３  本体操作部
２４，２５  ＬＥＤ
２６  本体表示部
２７  制御基板
２８  リモコン
２９  リモコンホルダー
３０  送信部
３１  入／切ボタン
３２  運転モードボタン
３３  リブ
３４  リモコン検出スイッチ
３５  リモコン受信部
４０  制御部
【図１】
2004340479.tif 000003
【図２】
2004340479.tif 000004
【図３】
2004340479.tif 000005
【図４】
2004340479.tif 000006
【図５】
2004340479.tif 000007
【図６】
2004340479.tif 000008
【図７】
2004340479.tif 000009